(57)【要約】  この車両用操作装置は、表示部と；この表示部へ人体の一部が接近したことを検知する接近検知部と；この接近検知部の検知結果に基づき、前記表示部上の、前記人体の一部が接近した位置を特定する位置特定部と；複数の車載機器の各操作項目に対応したアイコンを表示するアイコン表示画面、および、前記位置特定部により前記位置が特定された場合にこの位置に表示された前記アイコンに対応付けられた前記操作項目の、設定値または動作モードを選択する選択画面を、それぞれ前記表示部へ表示させる表示制御部と；を備える車両用操作装置であって、前記アイコンは、現在選択されている前記設定値または前記動作モードを表す少なくとも文字または図形からなり、前記表示制御部は、操作可能な前記アイコンの全てが表示された前記アイコン表示画面を前記表示部の一画面上に表示させる。
2011013514.tif 000002
【特許請求の範囲】
【請求項１】
表示部と；
この表示部へ人体の一部が接近したことを検知する接近検知部と；
この接近検知部の検知結果に基づき、前記表示部上の、前記人体の一部が接近した位置を特定する位置特定部と；
複数の車載機器の各操作項目に対応したアイコンを表示するアイコン表示画面、および、前記位置特定部により前記位置が特定された場合にこの位置に表示された前記アイコンに対応付けられた前記操作項目の、設定値または動作モードを選択する選択画面を、それぞれ前記表示部へ表示させる表示制御部と；
を備える車両用操作装置であって、
前記アイコンは、現在選択されている前記設定値または前記動作モードを表す少なくとも文字または図形からなり、
前記表示制御部は、操作可能な前記アイコンの全てが表示された前記アイコン表示画面を前記表示部の一画面上に表示させる
ことを特徴とする車両用操作装置。
【請求項２】
前記表示制御部は、操作可能な前記設定値または前記動作モードの全てが表示された前記選択画面を前記表示部の一画面上に表示させる
ことを特徴とする請求項１に記載の車両用操作装置。
【請求項３】
前記表示制御部は、前記選択画面を表示する際に、前記アイコン表示画面のコントラストを低下させ、このコントラストを低下させた前記アイコン表示画面上に前記選択画面を重畳表示させる
ことを特徴とする請求項２に記載の車両用操作装置。
【請求項４】
前記表示制御部は、前記アイコン表示画面に表示されている複数の前記アイコンのうちの特定のアイコンとして文字または図形で表される前記設定値または前記動作モードを、この特定のアイコンに関連付けられた他のアイコンに表示されている現在の前記設定値または現在の前記動作モードに応じて切換える
ことを特徴とする請求項１に記載の車両用操作装置。
【請求項５】
前記選択画面は、前記接近検知部が前記表示部と前記人体の一部との距離が所定の距離以下になったことを検知したときに表示される
ことを特徴とする請求項１に記載の車両用操作装置。
【発明の詳細な説明】
【技術分野】
【０００１】
本発明は、車両用操作装置に関する。
本願は、２００９年７月３１日に、日本に出願された特願２００９−１７９２８９号に基づき優先権を主張し、その内容をここに援用する。
【背景技術】
【０００２】
従来から、車載装置の操作を行うための車両用操作装置が知られている。例えば、特許文献１に記載の車両用操作装置では、タッチパネルであるメインモニタ上にシステム切替スイッチを常に表示させておくことで、これらシステム切替スイッチに対応されている車載機器をいつでも操作できる。
【先行技術文献】
【特許文献】
【０００３】
【特許文献１】日本国特開２００６−９６２５１号公報
【発明の概要】
【発明が解決しようとする課題】
【０００４】
しかしながら、上述の車両用操作装置においては、システム切替スイッチで操作対象となる機器を選択できるものの、場合によっては目的とする操作を完了するまでに３回以上のタッチ操作が必要となる。この操作階層が深いことに起因する操作性の低下により、ユーザの負担が増加してしまうという課題がある。【０００５】
本発明は、上記事情を鑑みてなされたものであり、操作階層に起因する操作性の低下を防止してユーザの負担軽減を図れる車両用操作装置の提供を目的とする。
【課題を解決するための手段】
【０００６】
本発明は、上記課題を解決して係る目的を達成するために以下の手段を採用した。
（１）本発明の車両用操作装置は、表示部と；この表示部へ人体の一部が接近したことを検知する接近検知部と；この接近検知部の検知結果に基づき、前記表示部上の、前記人体の一部が接近した位置を特定する位置特定部と；複数の車載機器の各操作項目に対応したアイコンを表示するアイコン表示画面、および、前記位置特定部により前記位置が特定された場合にこの位置に表示された前記アイコンに対応付けられた前記操作項目の、設定値または動作モードを選択する選択画面を、それぞれ前記表示部へ表示させる表示制御部と；を備える車両用操作装置であって、前記アイコンは、現在選択されている前記設定値または前記動作モードを表す少なくとも文字または図形からなり、前記表示制御部は、操作可能な前記アイコンの全てが表示された前記アイコン表示画面を前記表示部の一画面上に表示させる。【０００７】
上記（１）に記載の車両用操作装置によれば、車載機器の操作項目における現在の設定値や現在の動作モードを表す文字や図形からなるアイコンの全てがアイコン表示画面として表示部の一画面上に表示され、このアイコン表示画面に表示されたアイコンをユーザが指等で選択する。これにより、そのアイコンに対応する操作項目の設定値または動作モードの選択画面が表示される。この選択画面中で設定値または動作モードを選択する操作をすることで、設定値または動作モードを変更できる。
また、アイコンがこのアイコンに対応する操作項目の現在の設定値や動作モードを表す文字や図形からなることで、複数の車載機器の全ての操作項目における現在の設定値や動作モードが表示部の一画面に表示されたアイコン表示画面で確認できる。このため、従来のように車載機器毎に個別に現在の設定値や動作モードが表示される場合と比較して、視認し易くなり商品性の向上を図れると共に、表示スペースの削減を図れる効果がある。
さらに、現在の設定値や動作モードを表す文字や図形からなるアイコンを操作すれば、選択画面が表示される。これにより、現在の設定値や動作モードの確認直後に設定値や動作モードの変更操作を行えるため、直感的に各操作項目の設定値や動作モードの変更操作を行える。この結果、操作時間を短縮できる効果がある。【０００８】
（２）上記（１）に記載の車両用操作装置では、前記表示制御部は、操作可能な前記設定値または前記動作モードの全てが表示された前記選択画面を前記表示部の一画面上に表示させてもよい。【０００９】
上記（２）に記載の車両用操作装置の場合、アイコン表示画面で一のアイコンが選択されると、そのアイコンに対応付けられた操作項目として、操作可能な設定値または動作モードの全てが表示された選択画面が、表示部の一画面上に表示される。このため、アイコン表示画面に表示されている全てのアイコンに対応する操作項目について同様な２回の選択する操作で設定値または動作モードの変更を行える。この結果、操作性を向上させてユーザの負担を軽減できる。【００１０】
（３）上記（２）に記載の車両用操作装置では、前記表示制御部は、前記選択画面を表示する際に、前記アイコン表示画面のコントラストを低下させ、このコントラストを低下させた前記アイコン表示画面上に前記選択画面を重畳表示させてもよい。【００１１】
上記（３）に記載の車両用操作装置の場合、選択画面をアイコン表示画面に重畳表示する際にコントラストを下げる（例えば、グレーアウトなどの表示に切替える）ことで、現在の操作階層を容易に把握できるため、より直感的に操作できる。この結果、商品性を向上できる効果がある。【００１２】
（４）上記（１）に記載の車両用操作装置では、前記表示制御部は、前記アイコン表示画面に表示されている複数の前記アイコンのうちの特定のアイコンとして文字または図形で表される前記設定値または前記動作モードを、この特定のアイコンに関連付けられた他のアイコンに表示されている現在の前記設定値または現在の前記動作モードに応じて切換えてもよい。【００１３】
上記（４）に記載の車両用操作装置の場合、他のアイコンに対応付けられた操作項目の設定値および動作モードが切換えられた場合に、その設定値および動作モードに応じて、特定のアイコンとして文字または図形で表される現在の設定値または動作モードが自動的に切り換えられる。このため、他のアイコンに対応付けられた操作項目の設定値または動作モード毎にアイコンを設ける場合と比較して、不要なアイコンを削減して表示が煩雑になるのを防止できる。この結果、操作性をさらに向上できる効果がある。【００１４】
（５）上記（１）に記載の車両用操作装置では、前記選択画面は、前記接近検知部が前記表示部と前記人体の一部との距離が所定の距離以下になったことを検知したときに表示されてもよい。【００１５】
上記（５）に記載の車両用操作装置の場合、表示部と人体の一部との距離が所定の距離以下になったことが接近検知部によって検知された時点で、選択画面が表示される。この結果、迅速に選択画面の表示を行える効果がある。
【発明の効果】
【００１６】
本発明によれば、操作階層に起因する操作性の低下を防止してユーザの負担軽減を図れる車両用操作装置を提供できる。
【図面の簡単な説明】
【００１７】
【図１】本発明の一実施形態に係る車両用操作装置の概略構成図である。
【図２】同実施形態に係るアイコン表示画面を示す図である。
【図３】同アイコン表示画面のソースアイコンを選択する操作を示す図である。
【図４】同ソースアイコンに対応する選択画面が表示される途中の画面を示す図である。
【図５】同選択画面の表示が完了した後の画面を示す図である。
【図６】上記実施形態に係る吹き出しモードアイコンを選択する操作を示す図である。
【図７】同吹き出しモードアイコンに対応する選択画面が表示される途中の画面を示す図である。
【図８】同選択画面の表示が完了した後の画面を示す図である。
【図９】上記実施形態に係るボリュームアイコンを選択する操作をしたときに表示される選択画面を示す図である。
【図１０】同実施形態に係るシークアイコンを選択する操作をしたときに表示される選択画面を示す図である。
【図１１Ａ】同実施形態に係るバンドアイコンを選択する操作をしたときに表示される選択画面であって、ＡＭが選択されているときの選択画面を示す図である。
【図１１Ｂ】同選択画面であって、ＦＭが選択されているときの選択画面を示す図である。
【図１１Ｃ】同選択画面であって、衛星ラジオが選択されているときの選択画面を示す図である。
【図１１Ｄ】同選択画面であって、ＣＤが選択されているときの選択画面を示す図である。
【図１１Ｅ】同選択画面であって、ＨＤＤが選択されているときの選択画面を示す図である。
【図１１Ｆ】同選択画面であって、外部入力が選択されているときの選択画面を示す図である。
【図１２Ａ】上記実施形態に係るプリセットアイコンを選択する操作をしたときに表示される選択画面を示す図である。
【図１２Ｂ】同選択画面を示す図である。
【図１３】上記実施形態に係るプレイモードアイコンを選択する操作をしたときに表示される選択画面を示す図である。
【図１４Ａ】同実施形態に係る運転席用の設定温度アイコンを選択したときに表示される選択画面であって、デュアルモードのときの選択画面を示す図である。
【図１４Ｂ】同選択画面であって、シングルモードのときの選択画面を示す図である。
【図１５Ａ】上記実施形態に係る助手席用の設定温度アイコンを選択する操作をしたときに表示される選択画面であって、デュアルモード時に表示される選択画面を示す図である。
【図１５Ｂ】同選択画面あって、シングルモード時の助手席用の設定温度アイコンを示す図である。
【図１６】上記実施形態に係るオートアイコンを選択したときに表示される選択画面を示す図である。
【図１７】同実施形態に係るファンスピードアイコンを選択する操作をしたときに表示される選択画面を示す図である。
【図１８】同実施形態に係る内気モード時に内外気アイコンを選択する操作をして表示される外気モードを表す図形を示す図である。
【発明を実施するための形態】
【００１８】
本発明の一実施形態に係る車両用操作装置を、図面を参照しながら以下に説明する。
図１は、同実施形態に係る車両用操作装置１の概略構成を示す。この車両用操作装置１は、操作部２および制御手段（表示制御部）３を備える。この車両用操作装置１には、複数の車載装置である空調装置４およびオーディオ５がそれぞれ接続されている。これら空調装置４およびオーディオ５の各操作項目は、操作可能にされている。
【００１９】
操作部２は、車両のダッシュボード上部に配置されるカーナビゲーション用ディスプレイ（不図示）の下方などの運転者の手が届きやすいハンドルの近くに配置されている。この操作部２は、液晶等のディスプレイ（ＤＩＳＰ、表示部）６と、このディスプレイ６の表示面の全面に亘って配置されるタッチパネル（接近検知部、位置特定部）７と、を備える。
【００２０】
ディスプレイ６は、制御手段３の制御指令に従ってアイコン表示画面９（図２参照）を表示する。このアイコン表示画面９には、空調装置４およびオーディオ５の各操作項目、例えば空調装置４の風量や設定温度、オーディオ５のボリュームやソース等にそれぞれ対応した複数のアイコン（後述する）がディスプレイ６の一画面上に収まるように配置される。このディスプレイ６には、これら複数のアイコンのうちの操作可能なものだけが表示される。
【００２１】
タッチパネル７は、このタッチパネル７と人体の一部との距離が所定の距離以下になったことや、その人体の一部の接近位置を検知できる静電容量式などのタッチパネルである。このタッチパネル７の検知結果は、制御手段３へ出力される。
【００２２】
制御手段３は、ＣＰＵ等の演算装置を備え、メモリ８に予め記憶されたプログラムを実行することで、上述したディスプレイ６にアイコン表示画面９を表示させる。また、制御手段３は、ユーザによるアイコン表示画面９の選択する操作を検出する。具体的には、制御手段３は、タッチパネル７の検知結果およびアイコン表示画面９上のアイコンの表示位置に基づき、ユーザが何れのアイコンを選択する操作をしたかを検出する。
【００２３】
また、制御手段３は、選択する操作をされたアイコンに対応する操作項目の設定値または選択する操作をされたアイコンに対応する操作項目の動作モードを選択する選択画面（後述する）をアイコン表示画面９に重畳表示させる。
さらに、制御手段３は、タッチパネル７の検知結果に基づき、選択画面に表示される設定値または動作モードの変更操作を検出する。
【００２４】
図２は、ディスプレイ６に表示されるアイコン表示画面９の一例を示している。このアイコン表示画面９には、その上下方向の中心位置よりも上側にオーディオ操作用の複数のアイコンを備えるオーディオアイコン表示部１０が配置される一方、その上下方向の中心位置よりも下側にエアコン操作用の複数のアイコンを備えるエアコンアイコン表示部２０が配置される。なお、本実施形態では、運転席と助手席とで個別に温度設定できる機能（いわゆる、デュアルモード）を有した空調装置４を一例に説明する。
【００２５】
オーディオアイコン表示部１０には、複数のアイコンとしてボリュームアイコン１１、シークアイコン１２、ソースアイコン１３、バンドアイコン１４、プリセットアイコン１５、および、プレイモードアイコン１６が表示される。これら各アイコンは、それぞれ現在の設定値または動作モードを表す少なくとも文字または図形からなる。ボリュームアイコン１１は、現在のボリュームの大きさを表す図形（例えば、円グラフなど）からなる。ソースアイコン１３は、現在のソースを表す文字からなる。バンドアイコン１４は、現在の選択項目（設定値又は動作モード）を表す文字からなる。シークアイコン１２は、現在の選択周波数及び現在の選択局を表す文字からなる。プリセットアイコン１５は、現在のプリセット番号を表す文字からなる。プレイモードアイコン１６は、現在のモード名を表す文字からなる。
【００２６】
ここで、上記バンドアイコン１４は、ソースアイコン１３に関連付けられている。例えば、ソースアイコン１３の現在のソースが変更された場合には、このソースに応じてバンドアイコン１４の選択項目の文字表示も変更される。なお、プリセットアイコン１５は、プリセット設定が未だなされていない場合、プリセットの文字が表示される（例えば、図１２Ｂ参照）。
【００２７】
エアコンアイコン表示部２０には、２つの設定温度アイコン２１，２２、オートアイコン２３、吹き出しモードアイコン２４、ファンスピードアイコン２５、内外気アイコン２６が表示される。これらエアコンアイコン表示部２０の各アイコンもそれぞれ現在選択されている設定値または動作モードを表す文字または図形からなる。設定温度アイコン２１，２２は、現在の設定温度を表す文字からなる。オートアイコン２３は、現在のエアコン状態を表す文字からなる。吹き出しモードアイコン２４は、現在の吹き出し口モードを表す図形からなる。ファンスピードアイコン２５は、現在のファンスピードを表す図形（例えば、円グラフなど）からなる。内外気アイコン２６は、現在の吸気モードを表す図形からなる。
【００２８】
本実施形態の車両用操作装置１は、上述した構成を備えている。車両用操作装置１の動作および各アイコンを選択する操作をした場合に表示される各選択画面について、図面を参照しながら以下に説明する。なお、この車両用操作装置１の動作の説明では、上述したオーディオアイコン表示部１０のソースアイコン１３と、エアコンアイコン表示部２０の吹き出しモードアイコン２４とがそれぞれ選択する操作をされた場合について説明し、その他のアイコン操作時については表示される選択画面についてのみ説明する。
【００２９】
まず、図３に示すように、ディスプレイ６に表示されたソースアイコン１３上に操作指が近づきこの操作指とタッチパネル７との距離が所定距離以下に接近すると、制御手段３は、操作指の位置を検出してその位置に対応したソースアイコン１３が選択（以下、単に選択操作と称す）されたと判定する。すると、制御手段３は、ディスプレイ６のアイコン表示画面９上に、ソースアイコン１３用の選択画面１３ａを重畳表示する。図４および図５に示すように、選択画面１３ａには、上から順に動作モードを示す「ＡＭ」、「ＦＭ」、「サテライト」、「ＣＤ」、「ＨＤＤ」、「ＡＵＸ」の各ソース名を示す文字が記載されて、現在選択されているソース名のみが白黒反転等で強調表示される。このように、設定値や動作モードの名前が縦一列で表示可能な場合は、例えば図４および図５に示す選択画面１２ａのように、表示が開始されるとソースアイコン１３の表示位置（図４参照）から下方に向かって徐々に画面が拡大されて、表示開始から０．３〜０．４秒程度で表示が完了される。
【００３０】
ここで、上述した「ＡＭ」の文字が選択操作されると、オーディオ５のソースがＡＭに変更される。同様に、「ＦＭ」の文字が選択操作されると、オーディオ５のソースがＦＭに変更される。また、「サテライト」の文字が選択操作されると、オーディオ５のソースが衛星ラジオに変更される。「ＣＤ」の文字が選択操作されると、オーディオ５のソースがＣＤに変更される。「ＨＤＤ」の文字が選択操作されると、オーディオ５のソースがＨＤＤに変更される。「ＡＵＸ」の文字が選択操作されると、オーディオ５のソースがＡＵＸに変更される。
【００３１】
そして、例えば、「ＣＤ」の文字が選択操作された場合には、現在のソースである「ＦＭ」から「ＣＤ」へとソースを切り替える制御指令が制御手段３からオーディオ５へ向けて出力される。その後、所定時間後に、選択画面１２ａが消去されてアイコン表示画面９の単体表示に戻る。なお、選択画面１２ａがアイコン表示画面９に重畳表示されているとき、図４および図５に示すように、アイコン表示画面９は、コントラストを低下させる（例えば、グレーアウト等）のが好ましい。
【００３２】
他方、図６〜図８に示すように、エアコンアイコン表示部２０の吹き出しモードアイコン２４が操作指によって選択操作されたと判定された場合には、アイコン表示画面９上に吹き出しモードアイコン２４用の選択画面２４ａを重畳表示する。図７および図８に示すように、選択画面２４ａには、空調装置４の吹き出しモードが２列表示されている。この吹き出しモードは、複数設けられた吹き出し口（不図示）のうちの何れの吹き出し口から空調風を吹き出させるモードかを示す複数の図形である（例えば、ＤＥＦモード、Ｆ／Ｄデフモード、ＶＥＮＴモード、Ｂ／Ｌモード、ＦＯＯＴモードに相当）。このように１列で収まらない場合は、表示が開始されると、現在選択されている吹き出しモードを中心にして（図７参照）、徐々に画面が四方に拡大されて、上述した選択画面１２ａと同様に、０．３〜０．４秒程度で表示が完了される。
【００３３】
次に、各アイコンの選択画面について説明する。これら各選択画面は、上述した選択画面１２ａ，２４ａと同様に、それぞれ対応するアイコンが選択されることでアイコン表示画面９上に重畳表示される。
【００３４】
図９は、ボリュームアイコン１１が選択操作されたと判定された場合に表示される選択画面１１ａを示している。選択画面１１ａには、消音モードを示す「ＭＵＴＥ」の文字３１と、現在のボリューム「２４」の文字３２と、この文字３２の上下に配置されてそれぞれボリュームを増加および減少させる矢印３３，３４の図形と、が表示されている。「ＭＵＴＥ」の文字３１の選択操作でオーディオ５が消音モードへ移行され、矢印３３，３４の選択でボリュームが増減される。
【００３５】
図１０は、シークアイコン１２が選択操作されたと判定された場合に表示される選択画面１２ａを示している。選択画面１２ａには、現在選択されている受信周波数及びこの受信周波数に対応するラジオ局名などを表示する表示部３５と、受信可能な周波数を現在の受信周波数から高周波側または低周波側のいずれかから探知する上矢印３６および下矢印３７の図形と、が表示されている。上矢印３６または下矢印３７を選択操作することで、隣り合う受信可能な受信周波数が探知されて、受信周波数として設定されて、その設定内容が表示部３５へ表示される。
【００３６】
ところで、バンドアイコン１４として文字または図形により表示される設定値または動作モードは、ソースアイコン１３として文字または図形により表示される現在の設定値または動作モードに応じて切り換えられる。例えば、ソースアイコン１３として動作モード「ＡＭ」が表示されている場合には、バンドアイコン１４として「ＡＭ」に対応した操作項目の設定値または動作モード（例えば、後述する選択画面１４ａに表示されるもののうち何れか）が表示される。次いで、ソースアイコン１３による表示が上記「ＡＭ」から「ＦＭ」に変更されると、バンドアイコン１４としての表示が、「ＦＭ」に対応した操作項目の設定値または動作モード（例えば、後述する選択画面１４ｂに表示されるもののうちの前回設定された設定値または動作モード）に自動的に切り換えられる。この際、制御手段３によりバンドアイコン１４として表示された動作モードと同様の動作モードとなるように、オーディオ５の動作モードが切り換えられる。そして、ソースアイコン１３として表示される内容が「サテライト」、「ＣＤ」、「ＨＤＤ」、「ＡＵＸ」に変更されたときも、それぞれ上述した「ＡＭ」から「ＦＭ」への変更と同様に、バンドアイコン１４として表示される操作項目の設定値または動作モードが自動的に切り換えられる。
【００３７】
図１１Ａ〜図１１Ｆは、バンドアイコン１４が選択操作されたと判定された場合に表示される選択画面１４ａ〜１４ｆをそれぞれ示しており、何れも縦一列に動作モードが文字で表示される。そして、選択画面１４ａ〜１４ｆは、ソースアイコン１３で選択されているソースに応じて切り替えられる。
【００３８】
より具体的には、ソースアイコン１３で「ＡＭ」（ラジオ）が選択されている場合に、バンドアイコン１４が選択操作されると、選択画面１４ａが表示される。ソースアイコン１３で「ＦＭ」（ラジオ）が選択されている場合に、バンドアイコン１４が選択操作されると、選択画面１４ｂが表示される。ソースアイコン１３で「サテライト」（衛星ラジオ）が選択されている場合に、バンドアイコン１４が選択操作されると、選択画面１４ｃが表示される。さらに、ソースアイコン１３で「ＣＤ」（コンパクトディスク；以下ＣＤという）が選択されている場合に、バンドアイコン１４が選択操作されると、選択画面１４ｄが表示される。ソースアイコン１３で「ＨＤＤ」（ハードディスクドライブ；以下ＨＤＤという）が選択されている場合に、バンドアイコン１４が選択操作されると、選択画面１４ｅが表示される。ソースアイコン１３で「ＡＵＸ」（外部入力）が選択されている場合に、バンドアイコン１４が選択操作されると、選択画面１４ｆが表示される。
【００３９】
選択画面１４ａには、動作モードとしてＡＭバンド「１」，「２」，「交通情報」が文字で表示される。選択画面１４ｂには、動作モードとしてＦＭバンド「１」，「２」が文字で表示される。
選択画面１４ｃには、動作モードとして衛星ラジオのジャンル「ＰＯＰＵＬＡＲ」、「ＣＬＡＳＳＩＣ」、「ＲＯＣＫ」、「ＪＡＺＺ」などが文字で表示される。
選択画面１４ｄには、動作モードとしてＣＤチェンジャー（不図示）に装填されたＣＤのディスクナンバー「ＤＩＳＣ１」〜「ＤＩＳＣ６」が文字で表示される。
選択画面１４ｅには、動作モードとしてＨＤＤのフォルダに記憶されているアーティスト名「ＡＡＡＡ」，「ＢＢＢＢ」等がジャンル別に文字で表示される。
選択画面１４ｆには、動作モードとして外部入力ライン「ＬＩＮＥ１」、「ＬＩＮＥ２」、「ＵＳＢ」、「Ｂｌｕｅｔｏｏｔｈ」（登録商標）、「ｉ−Ｌｉｎｋ」が文字で表示される。
【００４０】
図１２Ａは、プリセットアイコン１５が選択操作されたと判定された場合に表示される選択画面１５ａを示している。選択画面１５ａには、プリセットされているプリセット番号およびプリセット内容（受信周波数、局名等）が表示される。選択画面１５ａにプリセット番号の列が操作指で選択操作されると、そのプリセット番号に対応して記憶されているプリセット内容で受信するようにオーディオ５の受信チャンネルが変更制御される。なお、プリセット内容が何も設定されていない場合には、プリセットを促す図１２Ｂの表示がなされる。
【００４１】
図１３は、プレイモードアイコン１６が選択操作されたと判定された場合に表示される選択画面１６ａを示している。選択画面１６ａには、動作モードとして再生方法「ＳＩＮＧＬＥ」、「ＲＡＮＤＯＭ  ＰＬＡＹ」、「ＳＩＮＧＬＥ  ＲＥＰＥＡＴ」、及び「ＡＬＬ  ＲＥＰＥＡＴ」の文字が表示される。これらの文字を選択操作することで、オーディオ５のプレイモードの設定が変更される。
【００４２】
図１４Ａおよび図１４Ｂは、設定温度アイコン２１が選択操作されたと判定された場合に表示される選択画面２１ａ，２１ｂをそれぞれ示す。デュアルモード時には選択画面２１ａが表示され、シングルモード時には選択画面２１ｂが表示される。選択画面２１ａには、現在の運転席の温度設定値（ＤＲＩＶＥＲ  ＴＥＭＰ）である「２４」の文字４１が表示され、その上下には温度設定値を増減するための矢印４２，４３が表示される。この矢印４２，４３により設定値が増減されると、運転席の温度設定がその設定値へ変更される。さらに、文字４１の側方には、シングルモードを選択する「ＳＩＮＧＬＥ  ＭＯＤＥ」の文字４４が表示される。この文字４４を選択操作することで、空調装置４の動作モードがデュアルモードからシングルモードへ変更される。シングルモードが選択されている場合に表示される選択画面２１ｂは、選択画面２１ａから文字４４が省略されたものである。
【００４３】
一方、図１５Ａは、設定温度アイコン２２が選択操作されたと判定された場合に表示される選択画面２２ａを示している。この選択画面２２ａはデュアルモード時に助手席の温度設定を行うために表示される画面であり、現在の助手席の温度設定値（ＰＡＳＳＥＮＧＥＲ  ＴＥＭＰ）である「２４」の文字４５が表示され、その上下には温度設定値を増減するための矢印４６，４７が表示される。シングルモード時の設定温度アイコン２１には、図１５Ｂに示す「ＤＵＡＬ」の文字４８が表示される。この「ＤＵＡＬ」の文字４８を選択操作することでデュアルモードへ変更される。つまり、設定温度アイコン２１は、シングルモード時に空調装置４の動作モードをデュアルモードへ変更するための機能を備えている。
【００４４】
図１６は、オートアイコン２３が選択操作されたと判定された場合に表示される選択画面２３ａを示している。この選択画面２３ａには、空調装置４の動作モードである「ＦＵＬＬ  ＡＵＴＯ」、「Ａ／Ｃ  ＯＮ」、「ＡＬＬ  ＯＦＦ」が文字で表示される。これらの何れかの文字が選択操作されることで、空調装置の動作モードが現在の動作モードから選択された動作モードへと変更される。
【００４５】
図１７は、ファンスピードアイコン２５が選択操作されたと判定された場合に表示される選択画面２５ａを示している。この選択画面２５ａには、空調装置４の動作モードである現在の風量（ファンスピード）が円形のグラフ４９で表示されて、その上下にはそれぞれ風量の増加および減少させる矢印５０，５１の図形が表示される。これら矢印５０，５１の操作により風量が増減される。
図１８は、図２に示す内気循環モードで内外気アイコン２６が選択操作されたと判定された場合に表示される内外気アイコン２６の図形５２を示している。この図形５２が選択操作されると、図２に示す図形５３が表示される。このように２つの動作モードのみを切替える場合は、選択画面を介さずに直接的にアイコン上に表示される現在の動作モードを示す図形が変更される。なお、内外気モードを図形で示す場合について説明したが文字表示としてもよい。
【００４６】
したがって、上述した実施形態の車両用操作装置１によれば、空調装置４およびオーディオ５の各操作項目における現在の設定値や現在の動作モードを表す文字や図形からなるアイコンの全てが、アイコン表示画面９としてディスプレイ６の一画面上に表示される。このアイコン表示画面９に表示されたアイコンをユーザが指等で選択することで、そのアイコンに対応する操作項目の設定値または動作モードの選択画面が表示される。この選択画面中で設定値または動作モードを選択操作することで設定値または動作モードを変更することができるため、アイコン表示画面９に表示されている全てのアイコンに対応する操作項目について、同様な２回の選択操作で設定値または動作モードを変更できる。この結果、操作性が向上してユーザの負担を軽減できる。
【００４７】
また、アイコン表示画面９のアイコンがこのアイコンに対応する操作項目の現在の設定値や動作モードを表す文字や図形からなるので、空調装置４およびオーディオ５の全ての操作項目における現在の設定値や動作モードがディスプレイ６の一画面に表示されたアイコン表示画面９で確認できる。このため、従来のように車載機器毎に個別に現在の設定値や動作モードが表示される場合と比較して、視認し易くなり商品性の向上を図れると共に、表示スペースの削減を図れる。
【００４８】
さらに、現在の設定値や動作モードを表す文字や図形からなるアイコンを操作すれば選択画面が表示されるので、現在の設定値や動作モードの確認直後に直ぐ設定値や動作モードの変更操作を行える。このように、直感的に各操作項目の設定値や動作モードの変更操作を行えるため、操作時間を短縮できる。
【００４９】
そして、選択画面をアイコン表示画面９に重畳表示する際に、コントラストを下げてグレーアウトなどの表示に切替えることで、現在の操作階層を容易に把握できる。このように、より直感的に操作することができるため、更なる商品性の向上を図れる。
【００５０】
また、ソースアイコン１３により設定値および動作モードが切換えられた場合に、バンドアイコン１４の選択項目が自動的に切り替えられる。このため、選択項目毎にアイコンを設ける場合と比較して、不要なアイコンを削減して表示が煩雑になるのを防止し、操作性の更なる向上を図れる。
【００５１】
さらに、ディスプレイ６と人体の一部との距離が所定の距離以下になったことがタッチパネル７によって検知された時点で接近位置が検知されて、その接近位置に配置されたアイコンに対応する選択画面が表示される。このため、迅速に選択画面の表示を行える。
【００５２】
なお、上述した実施形態の車両用操作装置１の選択画面のレイアウトは一例であって、上述したレイアウトのみに限られない。
また、上述した実施形態の車両用操作装置１では、車載機器として空調装置４およびオーディオ５が接続され、これら空調装置４およびオーディオ５の各操作項目を操作する構成について説明した。車載機器は、空調装置４やオーディオ５のみに限られるものではない。この構成に代えて、例えば、シート位置を変更する電動シート装置や、ステアリングポジションを変更するチルト装置およびテレスコピック装置を接続して各操作項目を操作可能にする構成としてもよい。また、車両用操作装置１に接続される車載機器に応じてアイコン表示画面９に表示されるアイコンの種類および配置を入れ替えるように設定してもよい。
【産業上の利用可能性】
【００５３】
本発明によれば、操作階層に起因する操作性の低下を防止してユーザの負担軽減を図れる車両用操作装置を提供できる。
【符号の説明】
【００５４】
６  ディスプレイ（表示部）
７  タッチパネル（接近検知部、位置特定部）
１１  ボリュームアイコン（アイコン）
１２  シークアイコン（アイコン）
１３  ソースアイコン（アイコン）
１４  バンドアイコン（アイコン）
１５  プリセットアイコン（アイコン）
１６  プレイモードアイコン（アイコン）
２１，２２  設定温度アイコン（アイコン）
２３  オートアイコン（アイコン）
２４  吹き出しモードアイコン（アイコン）
２５  ファンスピードアイコン（アイコン）
２６  内外気アイコン（アイコン）
【図１】
2011013514.tif 000003
【図１１Ａ】
2011013514.tif 000004
【図１１Ｂ】
2011013514.tif 000005
【図１１Ｃ】
2011013514.tif 000006
【図１１Ｄ】
2011013514.tif 000007
【図１１Ｅ】
2011013514.tif 000008
【図１１Ｆ】
2011013514.tif 000009
【図１２Ａ】
2011013514.tif 000010
【図１２Ｂ】
2011013514.tif 000011
【図１３】
2011013514.tif 000012
【図１４Ａ】
2011013514.tif 000013
【図１４Ｂ】
2011013514.tif 000014
【図１５Ａ】
2011013514.tif 000015
【図１５Ｂ】
2011013514.tif 000016
【図１６】
2011013514.tif 000017
【図１８】
2011013514.tif 000018
【図２】
2011013514.tif 000019
【図３】
2011013514.tif 000020
【図４】
2011013514.tif 000021
【図５】
2011013514.tif 000022
【図６】
2011013514.tif 000023
【図７】
2011013514.tif 000024
【図８】
2011013514.tif 000025
【図９】
2011013514.tif 000026
【図１０】
2011013514.tif 000027
【図１７】
2011013514.tif 000028
【国際調査報告】
2011013514.tif 000029
2011013514.tif 000030